(57)【要約】【課題】  ズーム機能が機械的に動作せず、構造が簡単で、耐衝撃性を高める。【解決手段】  表示部を有する第１ケース１とキー入力部を有する第２ケース２とを、円筒状の回転軸３で回動可能に取り付け、この回転軸３内にズーム機能部１９を有する撮影部４を設け、且つこの撮影部４のズーム機能部１９を磁力によってズーム移動させるズーム駆動部を、多数のコイル部からなる電磁コイル部２６と、第１〜第３レンズ枠１２〜１４に設けられた永久磁石２７〜２９とで構成した。従って、機械的にズーム機能部をズーム移動させる構造のものに比べて、撮影部４をコンパクトに構成することができる共に、ズーム機能部１９を電磁コイル部２６と永久磁石２７〜２９との磁力によって移動させるので、機構的な部分が少なく、撮影部４が機械的に動作する構造に比べて、構造が簡単で、耐衝撃性も高めることができる。【選択図】        図７
2005107074.tif 000002
【特許請求の範囲】
【請求項１】
表示部を有する第１ケースと、
キー入力部を有する第２ケースと、
前記第１、第２ケースを開閉可能に連結する連結軸と、
この連結軸内に設けられたズーム機能部を有する撮影部と、
この撮影部の前記ズーム機能部を磁力によってズーム移動させるズーム駆動部と
を備えたことを特徴とする携帯型電子機器。
【請求項２】
前記連結軸は、前記第１、第２ケースを互いに対向する各面方向に沿って回動可能に連結することを特徴とする請求項１に記載の携帯型電子機器。
【請求項３】
前記第１ケースの前記表示部と前記第２ケースの前記キー入力部とは、同じ面方向を向いて設けられ、
前記撮影部は、その撮影方向を前記表示部の表示面と反対方向に向けて設けられていることを特徴とする請求項２に記載の携帯型電子機器。
【請求項４】
前記撮影部で撮影する被写体に向けて閃光を発する閃光部を備えたことを特徴とする請求項１〜３のいずれかに記載の携帯型電子機器。
【請求項５】
前記閃光部で発光する光の放射方向またはその光の放射範囲を撮影時における前記撮影部の焦点距離に応じて可変させる光照射調節機構を備えていることを特徴とする請求項４に記載の携帯型電子機器。
【請求項６】
前記閃光部は発光素子とリフレクタとを複数組み備え、前記光照射調節機構は撮影時における前記撮影部の焦点距離に応じて前記複数組みの各リフレクタによる照射角度を可変させることを特徴とする請求項５に記載の携帯型電子機器。
【請求項７】
前記閃光部は発光素子とリフレクタとからなり、前記光照射調節機構は撮影時における前記撮影部の焦点距離に応じて前記発光素子を前記リフレクタの焦点位置に対し可変させることを特徴とする請求項５に記載の携帯型電子機器。
【請求項８】
前記閃光部で発光する光の放射方向またはその光の放射範囲を撮影時における前記撮影部の望遠状態と広角状態とに応じて可変させる光照射調節機構を備えていることを特徴とする請求項４に記載の携帯型電子機器。
【請求項９】
前記閃光部は発光素子とリフレクタとを複数組み備え、前記光照射調節機構は撮影時における前記撮影部の望遠状態と広角状態とに応じて前記複数組みの各リフレクタによる照射角度を可変させることを特徴とする請求項８に記載の携帯型電子機器。
【請求項１０】
前記閃光部は発光素子とリフレクタとからなり、前記光照射調節機構は撮影時における前記撮影部の望遠状態と広角状態とに応じて前記発光素子を前記リフレクタの焦点位置に対し可変させることを特徴とする請求項８に記載の携帯型電子機器。
【発明の詳細な説明】
【技術分野】
【０００１】
この発明は、携帯電話機や携帯端末機などの携帯型電子機器に関する。
【背景技術】
【０００２】
従来、携帯電話機においては、電話機能を有するほかに、電話機本体に撮影部を設け、この撮影部で被写体の画像を画像データとして取り込む撮影機能を備えたものがある。
このような携帯電話機では、撮影部で被写体を撮影することができても、撮影部による被写体の撮影範囲が限定されてしまい、所望する大きさの被写体の画像を得ることができないという不都合がある。
【０００３】
このような不都合を改善するため、ズーム機能を有する撮影部を電話機本体に設けた構造のものが開発されている。しかし、このような携帯電話機では、撮影部のズーム機能が機械的に動作する構造であると、その構造が複雑で、大型化するばかりか、携帯時の衝撃にも弱く、故障しやすいという問題がある。
【特許文献１】特開２００２−２７７７２３号公報
【発明の開示】
【発明が解決しようとする課題】
【０００４】
この発明が解決しようとする問題点は、ズーム機能が機械的に動作する構造であるため、構造が複雑で、小型化が難しく、衝撃に弱いことである。
【課題を解決するための手段】
【０００５】
この発明は、上記課題を解決するために、次のような構成要素を備えている。
なお、各構成要素には、後述する各実施形態の項で説明される各要素に付されている図面の参照番号などを括弧と共に付す。
請求項１に記載の発明は、図１〜図１９に示すように、表示部（７）を有する第１ケース（１）と、キー入力部（９）を有する第２ケース（２）と、前記第１、第２ケースを開閉可能に連結する連結軸（回転軸３）と、この連結軸内に設けられたズーム機能部（ズーム機構部１９）を有する撮影部（４）と、この撮影部の前記ズーム機能部を磁力によってズーム移動させるズーム駆動部（電磁コイル部２６および永久磁石２７〜２９）とを備えたことを特徴とする携帯型電子機器である。
【０００６】
請求項２に記載の発明は、図１〜図１９に示すように、前記連結軸（回転軸３）が前記第１、第２ケース（１、２）を互いに対向する各面方向に沿って回動可能に連結することを特徴とする請求項１に記載の携帯型電子機器である。
【０００７】
請求項３に記載の発明は、図１〜図１９に示すように、前記第１ケース（１）の前記表示部（７）と前記第２ケース（２）の前記キー入力部（９）とが同じ面方向を向いて設けられ、前記撮影部（４）が、その撮影方向を前記表示部の表示面と反対方向に向けて設けられていることを特徴とする請求項２に記載の携帯型電子機器である。
【０００８】
請求項４に記載の発明は、図１〜図１９に示すように、前記撮影部（４）で撮影する被写体に向けて閃光を発する閃光部（第１、第２ストロボ部５、６またはストロボ部５５）を備えたことを特徴とする請求項１〜３のいずれかに記載の携帯型電子機器である。
【０００９】
請求項５に記載の発明は、図１〜図１７に示すように、前記閃光部（第１、第２ストロボ部５、６またはストロボ部５５）で発光する光の放射方向またはその光の放射範囲を撮影時における前記撮影部（４）の焦点距離に応じて可変させる光照射調節機構（３４、５６）を備えていることを特徴とする請求項４に記載の携帯型電子機器である。
【００１０】
請求項６に記載の発明は、図１０〜図１４に示すように、前記閃光部（第１、第２ストロボ部５、６）が発光素子（３０）とリフレクタ（３１）とを複数組み備え、前記光照射調節機構（３４）が撮影時における前記撮影部（４）の焦点距離に応じて前記複数組みの各リフレクタによる照射角度を可変させることを特徴とする請求項５に記載の携帯型電子機器である。
【００１１】
請求項７に記載の発明は、図１５〜図１７に示すように、前記閃光部（ストロボ部５５）が発光素子（３０）とリフレクタ（３１）とからなり、前記光照射調節機構（５６）が撮影時における前記撮影部（４）の焦点距離に応じて前記発光素子を前記リフレクタの焦点位置に対し可変させることを特徴とする請求項５に記載の携帯型電子機器である。
【００１２】
請求項８に記載の発明は、図１５〜図１９に示すように、前記閃光部（第１、第２ストロボ部５、６またはストロボ部５５）で発光する光の放射方向またはその光の放射範囲を撮影時における前記撮影部（４）の望遠状態と広角状態とに応じて可変させる光照射調節機構（５６、６０）を備えていることを特徴とする請求項４に記載の携帯型電子機器である。
【００１３】
請求項９に記載の発明は、図１８および図１９に示すように、前記閃光部（第１、第２ストロボ部５、６）が発光素子（３０）とリフレクタ（３１）とを複数組み備え、前記光照射調節機構（６０）が撮影時における前記撮影部（４）の望遠状態と広角状態とに応じて前記複数組みの各リフレクタによる照射角度を可変させることを特徴とする請求項８に記載の携帯型電子機器である。
【００１４】
請求項１０に記載の発明は、図１５〜図１９に示すように、前記閃光部（ストロボ部５５）が発光素子（３０）とリフレクタ（３１）とからなり、前記光照射調節機構（５６）が撮影時における前記撮影部（４）の望遠状態と広角状態とに応じて前記発光素子を前記リフレクタの焦点位置に対し可変させることを特徴とする請求項８に記載の携帯型電子機器である。
【発明の効果】
【００１５】
請求項１に記載の発明によれば、表示部を有する第１ケースとキー入力部を有する第２ケースとを開閉可能に連結する連結軸内に、ズーム機能部を有する撮影部を設けたので、機械的にズーム機能部をズーム移動させる構造のものに比べて、撮影部をコンパクトに構成することができると共に、この撮影部のズーム機能部をズーム駆動部の磁力によってズーム移動させるので、機構的な部分が少なく、撮影部が機械的に動作する構造に比べて、構造が簡単で、携帯時における耐衝撃性も高く、衝撃による故障を軽減することができる。
【００１６】
請求項２に記載の発明によれば、連結軸が第１、第２ケースをその互いに対向する面方向に沿って回動可能に連結することにより、第１ケースの表示部と第２ケースのキー入力部とを同じ面方向に向けて設けることができ、このため撮影部の撮影方向を表示部の表示面と反対側に向けた状態で撮影部を連結軸内に設けることができるので、表示部を見ながら撮影部で撮影することができる。
【００１７】
請求項３に記載の発明によれば、第１ケースの表示部と第２ケースのキー入力部とが、同じ面方向を向いて設けられていることにより、第１ケースの下に第２ケースが重なる構造にすれば、第１、第２ケースを閉じた状態でも、また開いた状態でも常に表示部を露呈させることができ、また撮影部の撮影方向を表示部の表示面と反対方向に向けた状態で撮影部を連結軸内に設けていることにより、第１、第２ケースを閉じた状態でも、また開いた状態でも、表示部を見ながら撮影部で撮影することができ、これにより使い勝手の良いものを得ることができる。
【００１８】
請求項４に記載の発明によれば、請求項１〜３と同様の作用効果があるほか、特に撮影部で撮影する被写体に向けて閃光を発する閃光部を備えているので、撮影時に閃光部で発光した光を被写体に照射させることができ、このため暗い所でも被写体を良好に撮影することができる。
【００１９】
請求項５に記載の発明によれば、閃光部で発光する光の放射方向またはその光の放射範囲を撮影時における撮影部の焦点距離に応じて可変させる光照射調節機構を備えていることにより、焦点距離の長い遠くの被写体を撮影するときにも、また焦点距離の短い近くの被写体を撮影するときにも、閃光部で発光する光の放射方向またはその光の放射範囲を光照射調節機構によって調節することができ、これにより閃光部の光を確実に被写体に向けて効率良く照射させることができ、このため焦点距離の長い遠くの被写体を撮影するときにも、焦点距離の短い近くの被写体を撮影するときにも、被写体を明るく照明することができる。
【００２０】
請求項６に記載の発明によれば、閃光部が発光素子とリフレクタとを複数組み備え、光照射調節機構が撮影時における撮影部の焦点距離に応じて複数組みの各リフレクタによる照射角度を可変させるので、例えば焦点距離の長い遠くの被写体を撮影するときには、撮影部の光軸に対するリフレクタの光軸の交差角度が小さくなるように、リフレクタの回転角度を小さくし、また焦点距離の短い近くの被写体を撮影するときには、撮影部の光軸に対するリフレクタの光軸の交差角度が大きくなるように、リフレクタの回転角度を大きくし、これにより焦点距離が長くても短くても、閃光部の光を被写体に向けて集中させて照射することができ、このため被写体を明るく照明することができる。
【００２１】
請求項７に記載の発明によれば、閃光部が発光素子とリフレクタとからなり、光照射調節機構が撮影時における撮影部の焦点距離に応じて発光素子をリフレクタの焦点位置に対し可変させるので、例えば焦点距離の長い遠くの被写体を撮影するときには、光照射調節機構が発光素子をリフレクタの焦点位置に近づけるように移動させて、リフレクタによって放射される光をリフレクタの光軸とほぼ平行にし、これにより発光素子の光を被写体に向けて集中させて照射することができ、また焦点距離の短い近くの被写体を撮影するときには、光照射調節機構が発光素子をリフレクタの焦点位置から離れるように移動させて、リフレクタによって放射される光をリフレクタの光軸に対し拡散放射させ、これにより発光素子の光を被写体に向けて拡散させて照射させることができ、このため焦点距離が長くても短くても、被写体を明るく照明することができる。
【００２２】
請求項８に記載の発明によれば、閃光部で発光する光の放射方向またはその光の放射範囲を撮影時における撮影部の望遠状態と広角状態とに応じて可変させる光照射調節機構を備えていることにより、望遠状態で被写体を撮影するときにも、また広角状態で被写体を撮影するときにも、閃光部で発光する光の放射方向またはその光の放射範囲を光照射調節機構によって調節することができ、これにより閃光部の光を確実に被写体に向けて効率良く照射させることができ、このため望遠状態で被写体を撮影するときにも、また広角状態で被写体を撮影するときにも、被写体を明るく照明することができる。
【００２３】
請求項９に記載の発明によれば、閃光部が発光素子とリフレクタとを複数組み備え、光照射調節機構が撮影時における撮影部の望遠状態と広角状態とに応じて複数組みの各リフレクタによる照射角度を可変させるので、例えば望遠状態で被写体を撮影するときには、撮影部の光軸に対するリフレクタの光軸の交差角度が小さくなるように、リフレクタの回転角度を小さくし、また広角度状態で被写体を撮影するときには、撮影部の光軸に対するリフレクタの光軸の交差角度が大きくなるように、リフレクタの回転角度を大きくし、これにより望遠状態でも広角状態でも、閃光部の光を被写体に向けて集中させて照射することができ、このため被写体を明るく照明することができる。
【００２４】
請求項１０に記載の発明によれば、閃光部が発光素子とリフレクタとからなり、光照射調節機構が撮影時における撮影部の望遠状態と広角状態とに応じて発光素子をリフレクタの焦点位置に対し可変させることので、例えば望遠状態で被写体を撮影するときには、光照射調節機構が発光素子をリフレクタの焦点位置に近づけるように移動させて、リフレクタによって放射される光をリフレクタの光軸とほぼ平行にし、これにより発光素子の光を被写体に向けて集中させて照射することができ、また広角状態で被写体を撮影するときには、光照射調節機構が発光素子をリフレクタの焦点位置から離れるように移動させて、リフレクタによって放射される光をリフレクタの光軸に対し拡散放射させ、これにより発光素子の光を被写体に向けて拡散させて照射させることができ、このため望遠状態でも広角状態でも、被写体を明るく照明することができる。
【発明を実施するための最良の形態】
【００２５】
（実施形態１）
以下、図１〜図１４を参照して、この発明を携帯電話機に適用した実施形態１について説明する。
図１はこの発明の携帯電話機を閉じて撮影する状態を示した正面図、図２は図１の背面図、図３は図１の携帯電話機を上方から見た側面図、図４は図３の携帯電話機を開いた状態の側面図、図５は図４の正面図、図６は図５の背面図である。
この携帯電話機は、電話機能と撮影機能とを有するものであり、図１〜図６に示すように、互いに重なり合う第１ケース１と第２ケース２とを備え、これら第１、第２ケース１、２を円筒状の回転軸３によって互いに対向する第１、第２ケース１、２の各面方向に沿って回転可能に取り付けると共に、この回転軸３内にズーム機能を有する撮影部４を設け、この撮影部４の近傍に第１、第２ストロボ部５、６を設けた構成になっている。
【００２６】
第１ケース１は、図１〜図６に示すように、ほぼ長方形状に形成され、第２ケース２と重なり合った状態で外部に露出する外表面の正面に表示部７および操作部８を設けた構成になっている。この場合、表示部７は、液晶表示素子やＥＬ表示素子（エレクトロルミネッセンス表示素子）などの平面型に表示素子からなり、図１および図５に示すように、第１ケース１に沿う細長い長方形状に形成され、電話機能における電話データおよび撮影部４で撮影した画像のデータなどの情報を電気光学的に表示するように構成されている。また、操作部８は、電話機能や撮影機能の各種のモードを切り替えるためのジォグダイヤル、電源釦、通話釦などの各種の釦を備え、回転軸３に対応する個所に設けられている。
【００２７】
第２ケース２は、図２および図５に示すように、第１ケース１とほぼ同じサイズの大きさに形成されている。この第２ケース２における第１ケース１が重なり合う対向面には、キー入力部９が設けられている。また、図２に示す第２ケース２における上辺側の側面には、図３および図４に示すようにシャッタスイッチ１０が設けられており、この第２ケース２における回転軸３側に位置する側面には、アンテナ１１が出没可能に設けられている。この場合、キー入力部９は、テンキー、メモキー、マナーキーなどの電話機能に必要な各種のキーを備え、図５に示すように、第２ケース２の縦長状態において、各キーが第１ケース１に対向する第２ケース２の対向面に縦向きで配列されている。
【００２８】
シャッタスイッチ１０は、図２に示すように、回転軸３の近傍に位置する第２ケース２の上辺側の側面に設けられ、半分押された第１状態のときに、撮影部４のズーム機能を動作させて被写体に対する焦点距離、および第１、第２ストロボ部５、６による光の放射方向を調節するためのスイッチ信号を出力し、完全に押し込まれた第２状態のときに第１、第２ストロボ部５、６を発光させて撮影部４で被写体の画像を取り込むためのスイッチ信号を出力するように構成されている。
【００２９】
回転軸３は、図７に示すように、ほぼ円筒状に形成され、互いに重なり合った第１、第２ケース１、２の一端部側（図２では左端部側）に位置し、第１ケース１の内部から第２ケース２を貫通してその背面側（図７では左側）に露出した状態で、第１、第２ケース１、２に設けられている。すなわち、この回転軸３は、第１ケース１側に位置する一端部側（図７では右部側）が第１ケース１内に固定され、第２ケース２側に位置する他端部側（同図では左部側）が第２ケース２に回転可能に取り付けられ、これにより第１、第２ケース１、２が互いに対向する面方向に沿って相対的に回転するように構成されている。
【００３０】
このため、第１、第２ケース１、２は、図１〜図６に示すように、回転軸３を中心に互いに対向する第１、第２ケース１、２の各対向面に沿って相対的に回転することにより、図１〜図３に示すように互いに重なり合って閉じた状態になると共に、図５および図６に２点鎖線または実線で示すように第１、第２ケース１、２が相対的に所定角度、例えば９０°または１８０°回転して互いに開いた状態になるように構成されている。なお、第１、第２ケース１、２は、回転軸３を介して接続部材（図示せず）によって電気的に接続されている。
【００３１】
撮影部４は、自動焦点機能（オートフォ−カス機能）およびズーム機能を有し、図７に示すように、その撮影方向を第２ケース２の背面側に向けた状態、つまり第１ケース１の表示部７の表示面と反対方向に向けた状態で、回転軸３の内部にその軸方向に沿ってズーム移動可能に設けられている。この撮影部４は、図７に示すように、回転軸３内にその軸方向に沿って移動可能に配置された第１〜第３レンズ枠１２〜１４と、この第１〜第３レンズ枠１２〜１４にそれぞれ取り付けられた第１〜第３レンズ１５〜１７と、回転軸３内に固定された撮像ユニット１８と、第１〜第３レンズ枠１２〜１４を光軸４ａである回転軸３の軸方向に沿ってズーム移動させるズーム機構部１９とを備え、第１〜第３レンズ枠１２〜１４がカメラ本体１の前面側に向けて出没するように構成されている。
【００３２】
この場合、撮像ユニット１８は、図７に示すように、回転軸３内に固定されたハウジング２０を備え、このハウジング２０内に水晶フィルタ２１および保護ガラス２２を介してＣＣＤなどの撮像素子２３を配置した構成になっている。撮像素子２３は、回転軸３の軸中心である光軸４ａ上に配置され、第１〜第３レンズ１５〜１７で投影された被写体の画像を電気信号に変換して出力するように構成されている。第１、第２レンズ１５、１６はズーム機能用のレンズであり、第３レンズ１７は焦点距離を合わせるためのレンズである。
【００３３】
また、第１〜第３レンズ枠１２〜１４は、図７〜図９に示すように、それぞれ円筒状に形成されており、第１レンズ枠１２が第２レンズ枠１３内に移動可能に収納され、第２レンズ枠１３が第３レンズ枠１４内に移動可能に収納され、第３レンズ枠１４が回転軸３内に移動可能に収納されている。この場合、第２、第３レンズ枠１３、１４の各周面には、第１、第２レンズ枠１２、１３を軸方向に沿ってガイドするスリット状のガイド孔２４、２５が軸方向に沿って設けられている。また、第１レンズ枠１２の外周面には、第２レンズ枠１３のガイド孔２４に挿入して第３レンズ枠１４のガイド孔２５に挿入するガイド突起が設けられており、第２レンズ枠１３の外周面には、第３レンズ枠１４のガイド孔２５に挿入するガイド突起が設けられてされている。
【００３４】
ズーム機構部１９は、図７〜図９に示すように、撮影部２に設けられて被写体との距離を測定する距離測定部４４（図１２参照）の測定結果に基づいて、第１〜第３レンズ枠１２〜１４を磁力によって移動させるための円筒状の電磁コイル部２６を備えている。この電磁コイル部２６は、多数のコイル部２６ａ〜２６ｎを円筒状に配列形成して、回転軸３の内周面に設けられた凹部３ａ内に同心円状に配置され、この状態で各コイル部２６ａ〜２６ｎに選択的に電流を流すことにより、各コイル部２６ａ〜２６ｎがそれぞれ独立して磁界を発生するように構成されている。また、第１、第２レンズ枠１２、１３の各ガイド突起の先端部、および第３レンズ枠１４の外周面には、それぞれ第１〜第３の永久磁石２７〜２９が電磁コイル部２６の内周面に接近した状態で設けられている。この場合、第１〜第３の永久磁石２７〜２９は、電磁コイル部２６の各コイル部２６ａ〜２６ｎのいずれかに対応する大きさに形成されている。
【００３５】
このズーム機構部１９は、距離測定部４４で測定した被写体までの距離に応じて電磁コイル部２６を駆動することにより、第１〜第３レンズ枠１２〜１４を第１〜第３レンズ１５〜１７と共に回転軸３の中心軸である光軸４ａに沿って移動させるように構成されている。すなわち、このズーム機構部１９は、距離測定部４４による測定結果に基づいて、電磁コイル部２６を駆動すると、各コイル部２６ａ〜２６ｎに選択的に電流が流れて磁界を発生し、この発生した磁界に第１〜第３の永久磁石２７〜２９のいずれかが引き付けられ、この状態で電流が流れるコイル部２６ａ〜２６ｎを順次変えると、これに伴って第１〜第３の永久磁石２７〜２９のいずれかが回転軸３の軸方向に沿って移動するように構成されている。
【００３６】
例えば、第１レンズ１５を初期位置（電磁コイル部２６内に収納された図８の状態）からズーム移動（電磁コイル部２６の外部に向けて移動）させる場合には、図８に示す初期位置において第１レンズ枠１２の第１の永久磁石２７が対応する電磁コイル部２６のコイル部２６ｄに電流を流して磁界を発生させた後、これに隣接する外側のコイル部２６ｃに電流を流して磁界を発生させると、第１の永久磁石２７がコイル部２６ｃに引き寄せられ、この後、更にこれに隣接する外側のコイル部２６ｂに電流を流して磁界を発生させると、第１の永久磁石２７がコイル部２６ｂに引き寄せられる。このように、この第１レンズ１５は、図８および図９に示すように、第１レンズ枠１２の第１の永久磁石２７が初期位置である電磁コイル部２６のコイル部２６ｄの位置から最外部のコイル部２６ａの位置までの間で移動する。
【００３７】
また、第２レンズ１６を初期位置（電磁コイル部２６内に収納された図８の状態）からズーム移動（電磁コイル部２６の外部に向けて移動）させる場合には、図８に示す初期位置において第２レンズ枠１３の第２の永久磁石２８が対応する電磁コイル部２６のコイル部２６ｇに電流を流して磁界を発生させた後、これに隣接する外側のコイル部２６ｆに電流を流して磁界を発生させると、第２の永久磁石２８がコイル部２６ｆに引き寄せられ、この後、更にこれに隣接する外側のコイル部２６ｅに電流を流して磁界を発生させると、第２の永久磁石２８がコイル部２６ｅに引き寄せられる。このように、この第２レンズ１６は、図８および図９に示すように、第２レンズ枠１３の第２の永久磁石２８が初期位置である電磁コイル部２６のコイル部２６ｇの位置から外部側のコイル部２６ｄの位置までの間で移動する。
【００３８】
さらに、第３レンズ１７を移動させて焦点距離を調節する場合には、図８に示す初期位置において第３レンズ枠１４の第３の永久磁石２９が対応する電磁コイル部２６のコイル部２６ｊに電流を流して磁界を発生させた後、これに隣接する外側のコイル部２６ｉに電流を流して磁界を発生させると、第３の永久磁石２９がコイル部２６ｉに引き寄せられ、この後、更にこれに隣接する外側のコイル部２６ｈに電流を流して磁界を発生させると、第３の永久磁石２９がコイル部２６ｈに引き寄せられる。このように、この第３レンズ１７は、図８および図９に示すように、第３レンズ枠１４の第３の永久磁石２９が初期位置である電磁コイル部２６のコイル部２６ｊの位置から外部側のコイル部２６ｇの位置までの間で移動する。
【００３９】
一方、第１、第２ストロボ部５、６は、図２に示すように、第２ケース２の背面における回転軸３の両側近傍にそれぞれ設けられている。これら第１、第２ストロボ部５、６は、図１０および図１１に示すように、発光素子３０と、この発光素子３０の光を反射するリフレクタ３１とを備えている。発光素子３０は、発光ダイオード（ＬＥＤ）からなっている。リフレクタ３１は、放物曲面または楕円曲面に形成され、その焦点位置に発光素子３０が配置され、これにより発光素子３０で発光した光をリフレクタ３１の光軸３１ａに対しほぼ平行に反射するように構成されている。この場合、各リフレクタ３１は、その光軸３１ａ上の焦点位置に対応する外面に支持軸３２が設けられ、この支持軸３２が支持部材３３によって回転可能に支持され、この支持軸３２を中心に第２ケース２の左右方向に回動して光の放射方向が変えられるように構成されている。
【００４０】
また、第１、第２ストロボ部５、６は、図１０および図１１に示すように、発光素子３０で発光した光の放射方向を撮影時における撮影部４の焦点距離に応じて可変する光照射調節機構３４を備えている。この光照射調節機構３４は、距離測定部４４で測定した被写体までの距離の測定結果に基づいて、ストロボモータ３５を駆動し、このストロボモータ３５によって駆動歯車３６を回転させ、この駆動歯車３６でリフレクタ３１の支持軸３２に設けられた従動歯車３７を回転させることにより、図１１（ａ）および図１１（ｂ）に示すように、リフレクタ３１を回動させてリフレクタ３１による照射角度を撮影時における撮影部４の焦点距離に応じて調節するように構成されている。
【００４１】
ところで、回転軸３の近傍における第１、第２ケース１、２の対向面には、図３および図４に示すように、第１、第２ケース１、２の相対的な回転角度を検出する光センサ部３８が設けられている。この光センサ部３８は、第１ケース１に設けられた発光素子３９と、第２ケース２に設けられた複数の受光素子４０とからなっている。この場合、複数の受光素子４０は、発光素子３９の回転移動軌跡に対応して設けられている。例えば、第１の受光素子４０は、第１、第２ケース１、２が互いに重なり合ったときに発光素子３９が対応してその光を受光し、第２の受光素子４０は、第１、第２ケース１、２が相対的に９０°回転したときに発光素子３９が対応してその光を受光し、第３の受光素子４０は、第１、第２ケース１、２が相対的に１８０°回転したときに発光素子３９が対応してその光を受光するように構成されている。
【００４２】
次に、この携帯電話機の回路構成について、図１２に示すブロック図を参照して説明する。この携帯電話機は、予め記憶されたプログラムに従って回路全般を制御するＣＰＵ４１を備えている。このＣＰＵ４１の周辺には、ＣＣＤなどの撮像素子２３からの画像信号を処理する画像処理回路４２と、撮影部４のズーム機構部１９を駆動するズーム駆動回路４３と、撮影部４で撮影する被写体までの距離を測定する距離測定部４４を駆動する測定回路４５と、第１、第２ストロボ部５、６の各発光素子３０を駆動する発光駆動回路４６と、光照射調節機構３４のストロボモータ３５を駆動するモータ駆動回路４７と、光センサ部３８を駆動して得られた検知信号を処理する検知回路４８と、シャッタスイッチ１０の操作に応じた電気信号を処理するスイッチ回路４９と、電話情報や撮影画像などの情報を表示する表示部７の駆動を制御する表示駆動回路５０と、操作部８およびキー入力部９からの入力信号を処理する入力処理回路５１と、通話情報や画像情報などの情報を送信情報を処理してアンテナ１１に送ると共にアンテナ１１で受信した受信信号を処理する送受信回路５２とが設けられている。
【００４３】
この携帯電話機における撮影処理の動作フローについて、図１３を参照して説明する。この撮影処理は、電源スイッチがオンされて操作部８で撮影モードが選択されると、この処理フローがスタートし、撮影待機状態となる（ステップＳ１）。そして、シャッタスイッチ１０が半押し操作されたかを判断し（ステップＳ２）、半押し操作されていなければステップＳ１に戻って撮影待機状態を維持する。また、シャッタスイッチ１０が半押し操作されると、撮像部４の距離測定部４４で被写体までの距離を測定し（ステップＳ３）、この測定結果に基づいて焦点距離合わせをする（ステップＳ４）。このときには、撮影部４のズーム機構部１９の電磁コイル部２６がズーム駆動回路４３によって駆動され、第１〜第３レンズ枠１２〜１４が距離測定部４４の測定結果に応じて移動し、これにより撮影部４の焦点距離を合わせる。
【００４４】
すなわち、第１〜第３レンズ１５〜１７の各初期位置において、第１〜第３レンズ枠１２〜１４の第１〜第３の永久磁石２７〜２９がそれぞれ対応する電磁コイル部２６の各コイル部２６ｄ、２６ｇ、２６ｊに電流を流して磁界を発生させた後、これに隣接する外側の各コイル部２６ｃ、２６ｆ、２６ｉに電流を流して磁界を発生させて第１〜第３レンズ枠１２〜１４の第１〜第３の永久磁石２７〜２９をそれぞれ引き寄せ、この後、更にこれに隣接する外側の各コイル部２６ｂ、２６ｅ、２６ｈに電流を流して磁界を発生させて第１〜第３の永久磁石２７〜２９を各コイル部２６ｂ、２６ｅ、２６ｈにそれぞれ引き寄せる。これにより、第１〜第３レンズ枠１２〜１４を移動させて第１〜第３レンズ１５〜１７による焦点距離を合わせる。
【００４５】
このように第１〜第３レンズ１５〜１７の焦点距離合わせが行われると、光照射調節機構３４によって第１、第２ストロボ部５、６の各リフレクタ３１による光の放射方向を調節する（ステップＳ５）。すなわち、焦点距離合わせが行われるときには、距離測定部４４で被写体までの距離を測定した測定結果に基づいて、モータ駆動回路４７が光照射調節機構３４のストロボモータ３５を駆動し、このストロボモータ３５によって駆動歯車３６を回転させ、この回転に伴ってリフレクタ３１の支持軸３２に設けられた従動歯車３７が回転する。これにより、第１、第２ストロボ部５、６の各リフレクタ３１がその支持軸３２を中心に回動し、撮影部４の光軸４ａに対する各リフレクタ３１の光軸３１ａの交差角度を調節する。
【００４６】
例えば、焦点距離の長い遠くの被写体を撮影するときには、図１４（ａ）に示すように、撮影部４の光軸４ａに対するリフレクタ３１の光軸３１ａの交差角度が小さくなるように、リフレクタ３１の回転角度を小さくし、これにより第１、第２ストロボ部５、６で発光する光を被写体に向けて集中させる。また、焦点距離の短い近くの被写体を撮影するときには、図１４（ｂ）に示すように、撮影部４の光軸４ａに対するリフレクタ３１の光軸３１ａの交差角度が大きくなるように、リフレクタ３１の回転角度を大きくし、これにより第１、第２ストロボ部５、６で発光する光を被写体に向けて集中させる。このような状態でシャッタスイッチ１０が完全に押し込まれると、第１、第２ストロボ部５、６をそれぞれ発光させ、その光を各リフレクタ３１で被写体に向けて集中させて照射し、この光が照射された被写体の画像を撮像素子２３で画像データとして取り込み、このフローを終了する。
【００４７】
このように、この携帯電話機によれば、表示部７を有する第１ケース１とキー入力部９を有する第２ケース２とを円筒状の回転軸３によって、第１、第２ケース１、２の互いに対向する各対向面に沿って回動可能に取り付け、この回転軸３内にズーム機能部１９を有する撮影部４を設け、且つこの撮影部４のズーム機能部１９を磁力によってズーム移動させるズーム駆動部を、多数のコイル部２６ａ〜２６ｎからなる電磁コイル部２６と、第１〜第３レンズ枠１２〜１４に設けられた永久磁石２７〜２９とで構成したので、機械的にズーム機能部をズーム移動させる構造のものに比べて、撮影部４をコンパクトに構成することができる共に、撮影部４のズーム機能部１９を電磁コイル部２６と永久磁石２７〜２９との磁力によって移動させるので、機構的な部分が少なく、撮影部４が機械的に動作する構造に比べて、構造が簡単で、携帯時における耐衝撃性も高く、衝撃による故障を軽減することができる。
【００４８】
この場合、回転軸３が第１、第２ケース１、２をその互いに対向する面方向に回動可能に連結しているので、第１ケース１の表示部７と第２ケース２のキー入力部９とを同じ面方向に向けて設けることができる。このため、撮影部４の撮影方向を表示部７の表示面と反対側に向けた状態で撮影部４を回転軸３内に設けることができ、これにより表示部７を見ながら撮影部４で撮影することができる。また、第１ケース１の表示部７と第２ケース２のキー入力部９とが同じ面方向を向いて設けられているので、第１ケース１の下に第２ケース２が重なる構造にすることにより、第１、第２ケース１、２を閉じた状態でも、また開いた状態でも、常に表示部７を露呈させることができる。このため、第１、第２ケース１、２を閉じた状態でも、また開いた状態でも、表示部７を見ながら撮影部４で被写体を撮影することができるので、使い勝手の良いものを得ることができる。
【００４９】
また、この携帯電話機では、撮影部４で被写体を撮影するときに、光照射調節機構３４が撮影時における撮影部４の焦点距離に応じて第１、第２ストロボ部５、６で発光する光の放射方向を可変するので、焦点距離の長い遠くの被写体を撮影するときにも、また焦点距離の短い近くの被写体を撮影するときにも、光照射調節機構３４によって第１、第２ストロボ部５、６で発光する光の照射方向を調節して、第１、第２ストロボ部５、６の光を被写体に向けて照射させることができる。このため、遠くの被写体を撮影するときにも、近くの被写体を撮影するときにも、第１、第２ストロボ部５、６で発光した光を確実に被写体に向けて効率良く照射させることができ、これにより被写体そのものを明るく照明することができ、暗い所でも鮮明に被写体を撮影することができる。
【００５０】
この場合には、第１、第２ストロボ部５、６が発光素子３０とリフレクタ３１とを２組み備え、光照射調節機構３４が撮影時における撮影部４の焦点距離に応じて２組みの各リフレクタ３１による照射角度を可変させるので、例えば焦点距離の長い遠くの被写体を撮影するときには、撮影部４の光軸４ａに対するリフレクタ３１の光軸３１ａの交差角度が小さくなるように、リフレクタ３１の回転角度を小さくし、また焦点距離の短い近くの被写体を撮影するときには、撮影部４の光軸４ａに対するリフレクタ３１の光軸３１ａの交差角度が大きくなるように、リフレクタ３１の回転角度を大きくし、これにより焦点距離が長くても短くても、第１、第２ストロボ部５、６で発光した光を確実に被写体に向けて集中させて照射することができ、このため被写体を明るく照明することができる。
【００５１】
なお、上記実施形態１では、光照射調節機構３４が、距離測定部４４で測定した被写体までの距離の測定結果に基づいて、ストロボモータ３５を駆動し、このストロボモータ３５によって駆動歯車３６を回転させ、この駆動歯車３６で従動歯車３７を回転させて、リフレクタ３１の支持軸３２を中心にリフレクタ３１を回動させることにより、リフレクタ３１による照射角度を撮影時における撮影部４の焦点距離に応じて調節するように構成したが、これに限らず、例えば撮影時における撮影部４の焦点距離に応じて移動する第３レンズ枠１４に連動させてリフレクタ３１を回動させることにより、リフレクタ３１による照射角度を撮影時における撮影部４の焦点距離に応じて調節するように構成しても良い。このようにすれば、ストロボモータ３５の駆動源が不要で、構造も簡単になり、より一層、携帯電話機全体をコンパクトにすることができると共に、低価格化をも図ることができる。
【００５２】
（実施形態２）
次に、図１５〜図１７を参照して、この発明を携帯電話機に適用した実施形態２について説明する。なお、図１〜図１４に示された実施形態１と同一部分には同一符号を付して説明する。
この携帯電話機は、図１５および図１６に示すように、第１、第２ケース１、２のうち、撮影部４が露呈する第２ケース２に１つのストロボ部５５を設け、このストロボ部５５による光の放射範囲を撮影部４による撮影時の焦点距離に応じて可変する光照射調節機構５６を備えた構造で、これ以外は実施形態１とほぼ同じ構造になっている。
【００５３】
すなわち、このストロボ部５５は、実施形態１と同様、発光素子３０とリフレクタ３１とからなり、図１６に示すように、リフレクタ３１が放物曲面または楕円曲面に形成され、発光素子３０がリフレクタ３１の焦点位置に対しリフレクタ３１の光軸３１ａに沿って移動するように構成されている。光照射調節機構５６は、距離測定部４４で測定した被写体までの距離の測定結果に基づいて、ストロボモータ５７を駆動し、このストロボモータ５７によって駆動歯車５８を回転させ、この駆動歯車５８で発光素子３０が設けられたラック５９を移動させることにより、発光素子３０をリフレクタ３１の光軸３１ａに沿ってその焦点位置に対する接離方向に移動させ、リフレクタ３１による光の照射範囲を撮影時における撮影部４の焦点距離に応じて調節するように構成されている。
【００５４】
このような携帯電話機においても、実施形態１とほぼ同様の作用効果がある。すなわち、この携帯電話機では、ストロボ部５５が発光素子３０とリフレクタ３１とからなり、光照射調節機構５６が撮影時における撮影部４の焦点距離に応じてストロボ部５５の発光素子３０をリフレクタ３１の焦点位置に対しその光軸３１ａに沿って移動させることにより、焦点距離の長い遠くの被写体を撮影するときにも、また焦点距離の短い近くの被写体を撮影するときにも、ストロボ部５５で発光した光を確実に被写体に向けて効率良く照射させることができ、これにより被写体そのものを明るく照明することができ、暗い所でも鮮明に被写体を撮影することができる。
【００５５】
例えば、焦点距離の長い遠くの被写体を撮影するときには、図１７（ａ）に示すように、光照射調節機構５６が発光素子３０をリフレクタ３１の焦点位置に近づけるように移動させることにより、リフレクタ３１による反射光をリフレクタ３１の光軸３１ａとほぼ平行にし、これにより発光素子３０の光を被写体に向けて集中させて照射することができる。また、焦点距離の短い近くの被写体を撮影するときには、図１７（ｂ）に示すように、光照射調節機構５６が発光素子３０をリフレクタ３１の焦点位置から離れるように移動させることにより、リフレクタ３１による反射光をリフレクタ３１の光軸３１ａに対し拡散放射させ、これにより発光素子３０の光を被写体に向けて拡散させて照射させることができる。このため、この携帯電話機でも、実施形態１と同様、被写体そのものを明るく照明することができる。
【００５６】
なお、上記実施形態２では、光照射調節機構５６が、距離測定部４４で測定した測定結果に基づいて、ストロボモータ５７を駆動し、このストロボモータ５７によって駆動歯車５８を回転させ、この駆動歯車５８で発光素子３０が設けられたラック５９を移動させることにより、発光素子３０をリフレクタ３１の光軸３１ａに沿ってその焦点位置に対する接離方向に移動させて、リフレクタ３１による光の照射範囲を撮影時における撮影部４の焦点距離に応じて調節するように構成した場合について述べたが、これに限らず、例えば撮影時における撮影部４の焦点距離に応じて移動する第３レンズ枠１４に連動させて発光素子３０を移動させることにより、リフレクタ３１による光の照射範囲を撮影時における撮影部４の焦点距離に応じて調節するように構成しても良い。このようにすれば、ストロボモータ５７の駆動源が不要で、構造も簡単になり、携帯電話機全体をコンパクトにすることができると共に、低価格化をも図ることができる。
【００５７】
（実施形態３）
次に、図１８および図１９を参照して、この発明を携帯電話機に適用した実施形態３について説明する。この場合にも、図１〜図１４に示された実施形態１と同一部分には同一符号を付して説明する。
この携帯電話機は、図１９（ａ）および図１９（ｂ）に示すように、第１、第２ケース１、２のうち、撮影部４が露呈する第２ケース２における撮影部４の両側に第１、第２ストロボ部５、６をそれぞれ設け、これら第１、第２ストロボ部５、６による光の照射方向を撮影時における撮影部４の望遠状態と広角状態とに応じて可変させる光照射調節機構６０を備えた構造で、これ以外は実施形態１とほぼ同じ構造になっている。この場合にも、第１、第２ストロボ部５、６は、実施形態１と同様、発光素子３０とリフレクタ３１とからなっている。
【００５８】
この場合にも、第１、第２ストロボ部５、６の各リフレクタ３１は、図１０および図１１に示すように、その光軸３１ａ上の焦点位置に対応する外面に支持軸３２が設けられ、この支持軸３２が支持部材３３によって回転可能に支持され、この支持軸３２を中心に第２ケース２の背面における左右方向に回動して光の放射方向が変えられるように構成されている。また、光照射調節機構６０は、実施形態１と同様、撮影時における撮影部４の望遠状態と広角状態とに応じてストロボモータ３５を回転させる構造で、実施形態１と同様、ストロボモータ３５の回転によって駆動歯車３６を回転させ、この駆動歯車３６で従動歯車３７を回転させて、リフレクタ３１の支持軸３２を中心にリフレクタ３１を回動させることにより、リフレクタ３１による光の照射角度を調節するように構成されている。
【００５９】
このような携帯電話機における撮影処理は、図１８の動作フローに示すように、電源スイッチがオンされて操作部８で撮影モードが選択され、この処理フローがスタートすると、撮影待機状態となり、操作部８が操作されて望遠状態と広角状態とのいずれかを選択する（ステップＳ１０）。そして、シャッタスイッチ１０が半押し操作されたかを判断し（ステップＳ１１）、半押し操作されていなければステップＳ１０に戻って撮影待機状態を維持する。また、シャッタスイッチ１０が半押し操作されると、撮影部４の距離測定部４４で被写体までの距離を測定する（ステップＳ１２）。この距離測定部４４の測定結果に基づいて、撮影部４のズーム機構部１９の電磁コイル部２６がズーム駆動回路４３によって駆動され、第１、第２レンズ枠１２、１３を望遠状態または広角状態に移動させると共に、第３レンズ枠１４の焦点距離を合わせる（ステップＳ１３）。
【００６０】
そして、第１、第２レンズ１５、１６が望遠状態または広角状態に設定されて、第３レンズ１７によって焦点距離合わせが行われると、光調節機構６０によって第１、第２ストロボ部５、６の各リフレクタ３１による光の放射方向を調節する（ステップＳ１４）。すなわち、第１、第２レンズ１５、１６が望遠状態または広角状態に設定されると、光調節機構６０が撮影部４の望遠状態または広角状態に応じて第１、第２ストロボ部５、６の各リフレクタ３１をその支持軸３２を中心に回動させ、これにより撮影部４の光軸４ａに対する各リフレクタ３１の光軸３１ａの交差角度を調節する。
【００６１】
例えば、望遠状態で被写体を撮影するときには、図１９（ａ）に示すように、撮影部４の光軸４ａに対するリフレクタ３１の光軸３１ａの交差角度が小さくなるように、リフレクタ３１の回転角度を小さくし、これにより第１、第２ストロボ部５、６で発光する光を被写体に向けて集中させる。また、広角状態で被写体を撮影するときには、図１９（ｂ）に示すように、撮影部４の光軸４ａに対するリフレクタ３１の光軸３１ａの交差角度が大きくなるように、リフレクタ３１の回転角度を大きくし、これにより第１、第２ストロボ部５、６で発光する光を交差させるように被写体に向けて集中させる。このような状態でシャッタスイッチ１０が完全に押し込まれると、第１、第２ストロボ部５、６をそれぞれ発光させ、その光を各リフレクタ３１で被写体に向けて集中させて照射し、この光が照射された被写体の画像を撮像素子２３で画像データとして取り込み、このフローを終了する。
【００６２】
このように、この携帯電話機においても、実施形態１とほぼ同様の作用効果がある。すなわち、この携帯電話機では、撮影部４で被写体を撮影するときに、撮影部４の望遠状態と広角状態とに応じて光照射調節機構６０が第１、第２ストロボ部５、６による光の放射方向を調節することにより、望遠状態で被写体を撮影するときにも、また広角状態で被写体を撮影するときにも、第１、第２ストロボ部５、６の光を被写体に向けて集中させて照射させることができる。このため、望遠状態でも広角度状態でも、第１、第２ストロボ部５、６で発光した光を確実に被写体に向けて効率良く照射させることができ、これにより被写体そのものを明るく照明することができ、暗い所でも鮮明に被写体を撮影することができる。
【００６３】
この場合、第１、第２ストロボ部５、６が発光素子３０とリフレクタ３１とを２組み備え、光照射調節機構６０が撮影時における撮影部４の望遠状態と広角状態とに応じて２組みの各リフレクタ３１による光の照射角度を可変させるので、例えば望遠状態で被写体を撮影するときに、撮影部４の光軸４ａに対するリフレクタ３１の光軸３１ａの交差角度が小さくなるように、リフレクタ３１の回転角度を小さくし、また広角状態で被写体を撮影するときに、撮影部４の光軸４ａに対するリフレクタ３１の光軸３１ａの交差角度が大きくなるように、リフレクタ３１の回転角度を大きくし、これにより望遠状態でも広角状態でも、第１、第２ストロボ部５、６で発光した光を確実に被写体に向けて集中させて照射することができ、このため被写体を明るく照明することができる。
【００６４】
なお、上記実施形態３では、光照射調節機構６０が撮影時における撮影部４の望遠状態と広角状態とに応じて２組みの各リフレクタ３１による光の照射角度を可変させるように構成した場合について述べたが、これに限らず、例えば図１５〜図１７に示した実施形態２と同様、第２ケース２に１つのストロボ部５５を設け、このストロボ部５５による光の放射範囲を撮影時における撮影部４の望遠状態と広角状態とに応じて光照射調節機構５６で可変するように構成しても良い。
【００６５】
この場合にも、ストロボ部５５は、発光素子３０がリフレクタ３１の焦点位置に対しリフレクタ３１の光軸３１ａに沿って移動するように構成されている。また、光照射調節機構５６は、撮影時における撮影部４の望遠状態と広角状態とに基づいて、ストロボモータ５７を駆動し、このストロボモータ５７の駆動歯車５８を回転させ、この駆動歯車５８で発光素子３０が設けられたラック５９を移動させることにより、発光素子３０をリフレクタ３１の光軸３１ａに沿ってその焦点位置に対する接離方向に移動させて、リフレクタ３１による光の照射範囲を撮影時における撮影部４の望遠状態と広角状態とに応じて調節するように構成すれば良い。
【００６６】
このような携帯電話機においても、ストロボ部５５が発光素子３０とリフレクタ３１とからなり、光照射調節機構５６が撮影時における撮影部４の望遠状態と広角状態とに応じてストロボ部５５の発光素子３０をリフレクタ３１の焦点位置に対しその光軸３１ａに沿って移動させることができる。例えば、望遠状態で被写体を撮影するときには、光照射調節機構５６が発光素子３０をリフレクタ３１の焦点位置に近づけるように移動させることにより、リフレクタ３１がその光軸３１ａとほぼ平行な光を放射し、これにより発光素子３０の光を被写体に向けて集中させて照射することができる。
【００６７】
また、広角状態で被写体を撮影するときには、光照射調節機構５６が発光素子３０をリフレクタ３１の焦点位置から離れるように移動させることにより、リフレクタ３１がその光軸３１ａに対し光を拡散放射し、これにより発光素子３０の光を被写体に向けて拡散させて照射させることができる。このため、この携帯電話機でも、撮影時の撮影状態が望遠状態であっても、また広角状態であっても、光照射調節機構５６が撮影時における撮影部４の望遠状態と広角状態とに応じてストロボ部５５の光を被写体に向けて確実に照射させることができ、これにより実施形態２、３と同様、被写体そのものを明るく照明することができるので、暗い所でも鮮明に被写体を撮影することができる。
【００６８】
なおまた、上記実施形態１〜３およびその各変形例では、第１、第２ケース１、２が回転軸３によって互いに対向する第１、第２ケース１、２の各面方向に沿って回転するように構成した場合について述べたが、これに限らず、第１、第２ケースを回転軸によって互いに起立横倒する方向に回動可能に開くように連結した折り畳み式の構造にしても良い。この場合には、第１、第２ケースの各対向面にそれぞれ表示部とキー入力部とを設け、これにより第１、第２ケースを閉じたときに表示部とキー入力部とが互いに対面するように構成すれば良い。
【００６９】
さらに、上記実施形態１〜３およびその変形例では、携帯電話機に適用した場合について述べたが、これに限らず、ＰＤＡ（パーソナル・デジタル・アシスタント）などの携帯端末機にも適用することができる。
【図面の簡単な説明】
【００７０】
【図１】この発明を適用した携帯電話機を閉じて撮影する状態を示した正面図である。（実施形態１）
【図２】図１の携帯電話機の背面図である。
【図３】図１の携帯電話機を上方から見た側面図である。
【図４】図３の携帯電話機を開いた状態の側面図である。
【図５】図４の正面図である。
【図６】図５の背面図である。
【図７】図２の撮影部を拡大して示した断面図である。
【図８】図７の撮影部を原理的に示した非撮影時の断面図である。
【図９】図８の撮影部の第１〜第３レンズを移動させた状態の断面図である。
【図１０】図２の第１、第２ストロボ部の構成を原理的に示した正面図である。
【図１１】図１０の第１、第２ストロボ部の動作状態を示し、（ａ）はリフレクタをその光軸が撮影部の光軸とほぼ平行になるように回転させた状態を示した図、（ｂ）はリフレクタをその光軸が撮影部の光軸に対し交差するように回転させた状態を示した図である。
【図１２】図１の携帯電話機の回路構成を示したブロック図である。
【図１３】図１２の回路構成における撮影処理の動作フローを示した図である。
【図１４】図２の携帯電話機における第１、第２ストロボ部の発光状態を示し、（ａ）は焦点距離の長い遠くの被写体を撮影するときの第１、第２ストロボ部による光照射状態を示した図、（ｂ）は焦点距離の短い近くの被写体を撮影するときの第１、第２ストロボ部による光照射状態を示した図である。
【図１５】この発明を携帯電話機に適用した背面図である。（実施形態２）
【図１６】図１５のストロボ部を原理的に示した構成図である。
【図１７】図１６のストロボ部の動作状態を示し、（ａ）は発光素子をリフレクタの焦点位置に移動させた状態を示した図、（ｂ）は発光素子をリフレクタの焦点位置から離れる方向に移動させた状態を示した図である。
【図１８】この発明を携帯電話機に適用した撮影処理の動作フローを示した図である。（実施形態３）
【図１９】図１８の携帯電話機における第１、第２ストロボ部の発光状態を示し、（ａ）は焦点距離の長い遠くの被写体を撮影するときの第１、第２ストロボ部による光照射状態を示した図、（ｂ）は焦点距離の短い近くの被写体を撮影するときの第１、第２ストロボ部による光照射状態を示した図である。
【符号の説明】
【００７１】
１  第１ケース
２  第２ケース
３  回転軸
４  撮影部
５、６  第１、第２ストロボ部
７  表示部
８  操作部
１０  シャッタスイッチ
１２〜１４  第１〜第３レンズ枠
１５〜１７  第１〜第３レンズ
１８  撮像ユニット
１９  ズーム機構部
２３  撮像素子
２６  電磁コイル部
２７〜２９  永久磁石
３０  発光素子
３１  リフレクタ
３４、５６、６０  光照射調節機構
４１  ＣＰＵ
４４  距離測定部
５５  ストロボ部
【図１】
2005107074.tif 000003
【図２】
2005107074.tif 000004
【図３】
2005107074.tif 000005
【図４】
2005107074.tif 000006
【図５】
2005107074.tif 000007
【図６】
2005107074.tif 000008
【図７】
2005107074.tif 000009
【図８】
2005107074.tif 000010
【図９】
2005107074.tif 000011
【図１０】
2005107074.tif 000012
【図１１】
2005107074.tif 000013
【図１２】
2005107074.tif 000014
【図１３】
2005107074.tif 000015
【図１４】
2005107074.tif 000016
【図１５】
2005107074.tif 000017
【図１６】
2005107074.tif 000018
【図１７】
2005107074.tif 000019
【図１８】
2005107074.tif 000020
【図１９】
2005107074.tif 000021